(57)【特許請求の範囲】
【請求項１】
下端にツールを懸垂するシャフトと、
前記シャフトの上端に接続され前記シャフトを懸垂するワイヤと、
前記ワイヤを巻回自在に支持するドラムと、
前記シャフトを挿通させるベアリングを有し、該ベアリングにより前記シャフトを上下方向に挿通自在に支持する支持部と、
前記支持部からドラムにかけての部分を外部から遮断するカバーと、
前記ベアリングの下端の開口部周辺のエアを吸引して排気する第１吸引部と、
前記ドラム近傍のエアを吸引して排気する第２吸引部と
を有するツールバランサ。
【請求項２】
前記カバーの素材はアルミであることを特徴とする請求項１に記載のツールバランサ。
【発明の詳細な説明】
【技術分野】
【０００１】
本発明は、ツールを懸垂するツールバランサに関する。
【背景技術】
【０００２】
従来、例えば電子機器の組み立て製造ラインなどにおいて、ドライバなどのツールを懸垂する装置としてツールバランサが知られている。また、電子機器の組み立てがクリーンルームで行われる必要がある場合、防塵対策のため、ツールバランサは、クリーンルームに適した布により覆われる。図３及び４は、防塵対策が施された従来のツールバランサを示す。なお、図３はツール未使用時のツールバランサを示し、図４はツール使用時のツールバランサを示す。
【０００３】
図３及び４に示すように、防塵対策が施された従来のツールバランサ９は、ワイヤ９１、ドラム９２、布カバー９３、を有する。ワイヤ９１はその先端に取り付けられたツール２を懸垂する。ドラム９２はワイヤ９１を巻き取る。布カバー９３はワイヤ９１及びドラム９２を密閉するように覆う。また、布カバー９３は、パイルアンドフック９４によりワイヤ９１の取り付け方向側の末端に付着される。
【０００４】
この従来のツールバランサ９において、ツール２の未使用時、ワイヤ９１がドラム９２に巻き取られ、図３に示すように布カバー９３の生地が縮んだ状態となる。一方、ツール２の使用時、ツール２を作業対象３に届かせるために、使用者によってツール２が引っ張られる。布カバー９３は、ツール２の端部に付着されているため、この際、布カバー９３における付着部分もツールとともに引っ張られ、結果として生地は伸びた状態となる。
【先行技術文献】
【特許文献】
【０００５】
【特許文献１】特開２００１−１０６４９９号公報
【特許文献２】特許３３６９５３２号公報
【発明の概要】
【発明が解決しようとする課題】
【０００６】
しかしながら、従来のツールバランサ９の布カバー９３が伸び縮みする際、布カバー９３の生地が擦れることによって、塵埃を発生するという問題がある。つまり、ツール２を使用する度にツールバランサ９の外側から発塵してしまう。
【０００７】
本発明は上述した問題点を解決するためになされたものであり、ツールの使用に係る発塵を低減することができるツールバランサを提供することを目的とする。
【課題を解決するための手段】
【０００８】
上述した課題を解決するため、ツールバランサは、下端にツールを懸垂するシャフトと、前記シャフトの上端に接続され前記シャフトを懸垂するワイヤと、前記ワイヤを巻回自在に支持するドラムと、前記シャフトを挿通させるベアリングを有し、該ベアリングにより前記シャフトを上下方向に挿通自在に支持する支持部と、前記支持部からドラムにかけての部分を外部から遮断するカバーと、前記ベアリングの下端の開口部周辺のエアを吸引して排気する第１吸引部とを有する。
【発明の効果】
【０００９】
ツールの使用に係る発塵を低減することができる。
【図面の簡単な説明】
【００１０】
【図１】本実施の形態に係るツール未使用時のツールバランサを示す。
【図２】本実施の形態に係るツール使用時のツールバランサを示す。
【図３】ツール未使用時の従来のツールバランサを示す。
【図４】ツール使用時の従来のツールバランサを示す。
【発明を実施するための形態】
【００１１】
以下、本発明の実施の形態を、図を用いて説明する。
【００１２】
本実施の形態に係るツールバランサについて説明する。図１は、本実施の形態に係るツール未使用時のツールバランサを示す。また、図２は、本実施の形態に係るツール使用時のツールバランサを示す。
【００１３】
図１及び２に示すように、本実施の形態に係るツールバランサ１は、シャフト１１、ワイヤ１２、連結器１３、ドラム１４、アルミカバー１５、支持部１６、吸引器１７（第１吸引部）、吸引器１８（第２吸引部）を有する。シャフト１１は、真直性を持ち、その下端に取り付けられたツール２を懸垂する。ワイヤ１２は、シャフト１１の上端に接続され、シャフト１１を懸垂し、ドラム１４に収納される。連結器１３は、シャフト１１とワイヤ１２を接続する。ドラム１４は、シャフト１１の上方においてワイヤ１２を巻回自在に支持し、ツール未使用時においてワイヤ１２を巻き取る。支持部１６は、アルミカバー１５と協働して支持部の上方を外部と遮蔽するボールベアリング１６１を有し、これによりシャフト１１を上下方向に挿通自在に支持し、シャフト１１移動時の摩擦及び磨耗を低減する。ボールベアリング１６１は、シャフト１１の軸方向の荷重を受ける。アルミカバー１５は、ボールベアリング１６１と協働し、少なくともワイヤ１２、連結部１３、ドラム１４を外部から遮蔽する。吸引器１７は、ボールベアリング１６１下端を吸引するように設けられ、ボールベアリング１６１下端の開口部周辺のエアを吸引し、ツールバランサ１が設置されたクリーンルーム外部へ排気する。また、吸引器１８は、ドラム１４近傍に設けられ、ドラム１４近傍のエアを吸引し、クリーンルーム外部へ排気する。
【００１４】
なお、ボールベアリング１６１は、他の種類のベアリングであっても良い。また、ボールベアリング１６１下端の吸引器１７、ドラム１４近傍の吸引器１８は、それぞれ単数であっても複数であっても良い。また、シャフト１１は、真直度が高いものが望ましい。
【００１５】
図１に示すように、ツール２の未使用時、ワイヤ１２がドラム１４に巻き取られることによって内部に収納される。これにより、シャフト１１はアルミカバー１５を縮ませることなくドラム１４側に引っ張られる。また、図２に示すように、ツール２の使用時、ツール２を作業対象３に届かせるために、使用者によってツール２が引っ張られる。この際、アルミカバー１５の伸縮状態は変わらず、シャフト１１がツール２方向に移動する。
【００１６】
このように、ボールベアリング１６１に支持させたシャフト１１にツール２を取り付けて懸垂させることによって、アルミカバー１５を伸縮させることなく、ツール２を移動することができる。これにより、ツール２の使用において、ツールバランサ１外部からの発塵を低減することができる。また、吸引器１７によるボールベアリング１６１下端のエアの吸引により、シャフト１１とボールベアリング１６１との摩擦による磨耗によって生じる塵埃がクリーンルームの空気清浄度を低下させることを防ぐことができる。また、ワイヤ１２、連結器１３、ドラム１４、ボールベアリング１６１を覆うカバーをアルミカバー１５とすることにより、布カバーに比べて、塵埃の発生を低減することができる。また、ドラム１４近傍に吸引器１８を設けることによって、ドラム１４より発生する塵埃がシャフト１１に付着することを防ぐことができる。
【符号の説明】
【００１７】
１  ツールバランサ、２  ツール、３  作業対象、１１  シャフト、１２  ワイヤ、１３  連結器、１４  ドラム、１５  アルミカバー、１６  支持部、１６１  ボールベアリング、１７  吸引器、１８  吸引器。
【図１】
0005381418.tif 000002
【図２】
0005381418.tif 000003
【図３】
0005381418.tif 000004
【図４】
0005381418.tif 000005